(57)【要約】【課題】複数の画像群を連続的に観察して画像に含まれる特定オブジェクトを発見する作業を支援する表示装置において、特定オブジェクトの発見に要する時間の短縮と特定オブジェクトを見落とす可能性の低減を両立する。【解決手段】画像を表示装置に表示させるための表示制御を行う表示制御装置であって、被検体の複数の断層画像からなる画像群データを入力する入力手段と、断層画像ごとに、断層画像に写っている、被検体の内部に存在するオブジェクトの画像の、前記表示装置に表示させた場合の表示サイズの情報を取得する取得手段と、断層画像ごとに、断層画像に写っているオブジェクトの表示サイズに応じて、前記複数の断層画像を１枚ずつ連続的に表示する際のフレームレートを決定する決定手段と、を備える表示制御装置。【選択図】図３
2014033947.tif 000002
【特許請求の範囲】
【請求項１】
画像を表示装置に表示させるための表示制御を行う表示制御装置であって、
被検体の複数の断層画像からなる画像群データを入力する入力手段と、
断層画像ごとに、断層画像に写っている、被検体の内部に存在するオブジェクトの画像の、前記表示装置に表示させた場合の表示サイズの情報を取得する取得手段と、
断層画像ごとに、断層画像に写っているオブジェクトの表示サイズに応じて、前記複数の断層画像を１枚ずつ連続的に表示する際のフレームレートを決定する決定手段と、
を備える表示制御装置。
【請求項２】
前記画像群データは、各断層画像に写っているオブジェクトの大きさの情報を含む付帯情報を有し、
前記取得手段は、前記付帯情報からオブジェクトの表示サイズの情報を取得する請求項１に記載の表示制御装置。
【請求項３】
前記付帯情報は、オブジェクトの大きさを画素数の情報として含み、
前記取得手段は、前記表示装置の画素ピッチの情報を取得し、前記画素ピッチの情報と、前記付帯情報から取得したオブジェクトの画素数と、からオブジェクトの表示サイズを算出する請求項２に記載の表示制御装置。
【請求項４】
前記取得手段は、断層画像に対する画像解析により、断層画像に写っているオブジェクトの大きさ、種類、及び位置座標の情報を取得する請求項１に記載の表示制御装置。
【請求項５】
オブジェクトの表示サイズとフレームレートとの予め定められた対応関係の情報を記憶する記憶手段を更に備え、
前記決定手段は、前記対応関係に基づき、オブジェクトの表示サイズに応じたフレームレートを決定する請求項１〜４のいずれか１項に記載の表示制御装置。
【請求項６】
前記対応関係は、オブジェクトの表示サイズが小さいほどフレームレートが遅くなるように定められている請求項５に記載の表示制御装置。
【請求項７】
前記対応関係は、オブジェクトが写っていない断層画像のフレームレートが最も速くなるように定められている請求項５又は６に記載の表示制御装置。
【請求項８】
前記対応関係において、基準となるフレームレートをユーザが設定することができる請求項５〜７のいずれか１項に記載の表示制御装置。
【請求項９】
前記記憶手段は、オブジェクトの種類ごとに異なる対応関係を記憶している請求項５又は６に記載の表示制御装置。
【請求項１０】
前記取得手段は、断層画像の画素値と被検体の特性値との予め定められた対応関係に基づき、連続して存在している、特性値が所定の範囲内の値である画素の数から断層画像に写っているオブジェクトの表示サイズを算出する請求項１〜９のいずれか１項に記載の表示制御装置。
【請求項１１】
画像を表示装置に表示させるための表示制御を行う表示装置の制御方法であって、
被検体の複数の断層画像からなる画像群データを入力する入力工程と、
断層画像ごとに、断層画像に写っている、被検体の内部に存在するオブジェクトの画像の、前記表示装置に表示させた場合の表示サイズの情報を取得する取得工程と、
断層画像ごとに、断層画像に写っているオブジェクトの表示サイズに応じて、前記複数
の断層画像を１枚ずつ連続的に表示する際のフレームレートを決定する決定工程と、
を有する表示装置の制御方法。
【請求項１２】
前記画像群データは、各断層画像に写っているオブジェクトの大きさの情報を含む付帯情報を有し、
前記取得工程では、前記付帯情報からオブジェクトの表示サイズの情報を取得する請求項１１に記載の表示装置の制御方法。
【請求項１３】
前記付帯情報は、オブジェクトの大きさを画素数の情報として含み、
前記取得工程では、前記表示装置の画素ピッチの情報を取得し、前記画素ピッチの情報と、前記付帯情報から取得したオブジェクトの画素数と、からオブジェクトの表示サイズを算出する請求項１２に記載の表示装置の制御方法。
【請求項１４】
前記取得工程では、断層画像に対する画像解析により、断層画像に写っているオブジェクトの大きさ、種類、及び位置座標の情報を取得する請求項１１に記載の表示装置の制御方法。
【請求項１５】
オブジェクトの表示サイズとフレームレートとの予め定められた対応関係の情報を記憶手段から読み出す工程を更に備え、
前記決定工程では、前記対応関係に基づき、オブジェクトの表示サイズに応じたフレームレートを決定する請求項１１〜１４のいずれか１項に記載の表示装置の制御方法。
【請求項１６】
前記対応関係は、オブジェクトの表示サイズが小さいほどフレームレートが遅くなるように定められている請求項１５に記載の表示装置の制御方法。
【請求項１７】
前記対応関係は、オブジェクトが写っていない断層画像のフレームレートが最も速くなるように定められている請求項１５又は１６に記載の表示装置の制御方法。
【請求項１８】
前記対応関係において、基準となるフレームレートをユーザが設定することができる請求項１５〜１７のいずれか１項に記載の表示装置の制御方法。
【請求項１９】
前記記憶手段は、オブジェクトの種類ごとに異なる対応関係を記憶している請求項１５又は１６に記載の表示装置の制御方法。
【請求項２０】
前記取得工程では、断層画像の画素値と被検体の特性値との予め定められた対応関係に基づき、連続して存在している、特性値が所定の範囲内の値である画素の数から断層画像に写っているオブジェクトの表示サイズを算出する請求項１１〜１９のいずれか１項に記載の表示装置の制御方法。
【請求項２１】
請求項１〜１０のいずれか１項に記載の表示制御装置と、
画像データに基づく画像を表示する表示手段と、
を備えた表示装置。
【請求項２２】
前記画像群データはモダリティによって得られた医用画像群データであり、
前記オブジェクトは病変である請求項１〜１０のいずれか１項に記載の表示制御装置。
【請求項２３】
前記画像群データはモダリティによって得られた医用画像群データであり、
前記オブジェクトは病変である請求項１１〜２０のいずれか１項に記載の表示装置の制御方法。
【発明の詳細な説明】
【技術分野】
【０００１】
本発明は、表示制御装置、表示装置、及びその制御方法に関するものである。
【背景技術】
【０００２】
近年、医用画像のデジタル化に伴い、読影現場では医用ビューアを用いたモニタ診断が主流となりつつなる。また、モダリティ（CT（computerized tomography）、MRI（magnetic resonance imaging）など）によっては、診断するのに多数の画像を読影しなければならず、読影にかかる時間も長くなる。その為、限られた時間内で多くの症例の読影が要求される現場において、効率良く読影できる読影方法が必要である。
【０００３】
読影方法の１つに、モダリティで生成された断層画像群の画像を、一定速度で1枚ずつ
モニタ上に表示しながら読影を行うページング読影がある。このページング読影は、多数の画像を迅速に読影できる為、病変候補が存在する画像を多数の画像の中から特定する上で有効な手段である（非特許文献１）。
【０００４】
また、ページング読影時の画像送り速度の設定は、読影医が自分の読影能力を考慮した上で、予めビューワ上から入力し設定を行う。
【０００５】
上述したようなページング読影を、より効率的に実施するための技術として、病変候補が存在しない部分について画像送り速度を早くすることで、全断層画像群の読影時間を短縮する技術が公開されている（特許文献１）。
【０００６】
また、病変候補の有無に関わらず、読影医が予めマーキング指定した区間について画像送り速度を変更する技術が公開されている（特許文献２）。
【先行技術文献】
【特許文献】
【０００７】
【特許文献１】特開２００７−２５２７６３号公報
【特許文献２】特開２００１−１２８０９８号公報
【非特許文献】
【０００８】
【非特許文献１】「アールティ Ｎｏ．３８」エーザイ株式会社 企画・発行、株式会社メディカルトリビューン 編集、２００７年１１月号、（ｐ．１２６−ｐ．１３８：胸部ＣＴにおける診断プロセス  原 眞咲 著）
【非特許文献２】PS3.3-2001翻訳 医療におけるデジタル画像と通信（ＤＩＣＯＭ） 巻３：情報オブジェクト定義、Published by National Electrical Manufacturers Association
【発明の概要】
【発明が解決しようとする課題】
【０００９】
非特許文献１に記述されているように、ページング読影時における病変の見落とし率は、病変の表示サイズが小さい程、高くなる。
【００１０】
また、読影現場によって、医用画像を表示するモニタの性能（解像度（画素数）や画素ピッチ）は様々である。例えば、図２０に示すように、図２０（Ａ）と図２０（Ｂ）に示す２つのモニタは、画面寸法は同じだが、解像度が異なる為、画素ピッチが異なる。その為、図２０（Ａ）は、図２０（Ｂ）に比べて1画素あたりのピッチが小さいことにより、
図２０（Ｂ）の４倍の画素を表示することが可能である。逆に、同じ画素数を表示した場合の表示サイズは、図２０（Ａ）は図２０（Ｂ）の１/４倍となる。また、画面寸法が異
なるが、解像度が同じモニタの場合も、画素ピッチが異なるため表示サイズも異なる。
【００１１】
従って、同じ画像（病変）を表示した場合でも、表示するモニタの性能の違いによって、表示される病変の表示サイズは異なってしまう。また、画面寸法が異なるが解像度が同じであるモニタの場合も、画素ピッチは異なる為、表示される病変の表示サイズは異なってしまう。
【００１２】
上述した特許文献１では、病変の有無に応じて画像送り速度を変更することは可能であるが、病変が存在する画像の画像送り速度は、病変の大きさによらず一定の速度となる。その為、画像送り速度が速い時は、短時間で読影が行えるが、表示される病変が小さい場合は画像内を観察する時間が足らず病変を見落とす可能性があった。逆に、画像送り速度が遅い時は、見落とし率を軽減できるが、病変の大きさが容易に見つけやすい場合は見つけた後も次の画像が表示されるまで待つ必要があり、読影効率が低下する恐れがあった。
【００１３】
また、特許文献２では、区間を指定することで、指定した区間の画像送り速度を変更することは可能であるが、初見時に設定することは難しかった。つまり、断層画像群のどの画像にどのくらいの病変が存在するかを判断することは初見時には難しく、また画像送り速度を細かく設定しようとすると時間と手間がかかっていた。
【００１４】
そこで本発明は、複数の画像群を連続的に観察して画像に含まれる特定オブジェクトを発見する作業を支援する表示装置において、特定オブジェクトの発見に要する時間の短縮と特定オブジェクトを見落とす可能性の低減を両立する技術を提供することを目的とする。
【課題を解決するための手段】
【００１５】
本発明は、画像を表示装置に表示させるための表示制御を行う表示制御装置であって、
被検体の複数の断層画像からなる画像群データを入力する入力手段と、
断層画像ごとに、断層画像に写っている、被検体の内部に存在するオブジェクトの画像の、前記表示装置に表示させた場合の表示サイズの情報を取得する取得手段と、
断層画像ごとに、断層画像に写っているオブジェクトの表示サイズに応じて、前記複数の断層画像を１枚ずつ連続的に表示する際のフレームレートを決定する決定手段と、
を備える表示制御装置である。
【００１６】
本発明は、画像を表示装置に表示させるための表示制御を行う表示装置の制御方法であって、
被検体の複数の断層画像からなる画像群データを入力する入力工程と、
断層画像ごとに、断層画像に写っている、被検体の内部に存在するオブジェクトの画像の、前記表示装置に表示させた場合の表示サイズの情報を取得する取得工程と、
断層画像ごとに、断層画像に写っているオブジェクトの表示サイズに応じて、前記複数の断層画像を１枚ずつ連続的に表示する際のフレームレートを決定する決定工程と、
を有する表示装置の制御方法である。
【発明の効果】
【００１７】
本発明によれば、複数の画像群を連続的に観察して画像に含まれる特定オブジェクトを発見する作業を支援する表示装置において、特定オブジェクトの発見に要する時間の短縮と特定オブジェクトを見落とす可能性の低減を両立することが可能となる。
【図面の簡単な説明】
【００１８】
【図１】実施例１に係る医用画像支援システムの模式図
【図２】実施例１に係るモダリティの構成を示すブロック図
【図３】実施例１に係る医用画像表示装置の構成を示すブロック図
【図４】実施例１に係るユーザ操作時の画面例
【図５】実施例１に係る画像付帯情報の例
【図６】実施例１に係るページング読影に関する設定情報の例
【図７】実施例１に係る画像送り速度判定テーブルの例１
【図８】実施例１に係る病変表示サイズ算出部の動作フロー
【図９】実施例１に係る画像送り速度決定部の動作フロー
【図１０】実施例１に係る表示制御部の動作フロー
【図１１】実施例１に係る画像送り速度判定テーブルの例２
【図１２】実施例１に係る画像送り速度判定テーブルの例３
【図１３】実施例１に係るページング読影時の画像送り速度例
【図１４】実施例２に係る医用画像支援システムの模式図
【図１５】実施例２に係る医用画像表示装置の構成を示すブロック図
【図１６】実施例２に係るモニタ毎の断層画像データの表示例
【図１７】実施例３に係るＣＴ値とグレースケールの相関図
【図１８】実施例３に係るＤＩＣＯＭ規格の画像データ構成図
【図１９】実施例３に係るＣＴ値と病変の相関図
【図２０】モニタの説明図
【発明を実施するための形態】
【００１９】
（実施例１）
以下、本発明の第１の実施例について、図面を参照して説明する。
第１の実施例では、医用画像表示装置において、断層画像データの付帯情報から病変の有無と大きさを抽出し、実際にモニタ上に表示される病変の表示サイズを算出し、画像送り速度を制御する例について説明する。なお、ユーザとは、特別な記載がない限り医用画像表示装置の読影医を指すものとする。
【００２０】
図１は、実施例１において断層画像データを機器間伝送するコンピュータネットワークシステムを示す模式図である。図１に示すように、モダリティ１０１、画像管理サーバ１０２、医用画像表示装置１０３は、院内ＬＡＮ（Local Area Network） １００を介して
接続されている。ここで、モダリティ１０１とは、Ｘ線ＣＴ、ＭＲＩ、ＰＥＴ、ＳＰＥＣＴなどの医用断層画像を撮影、生成する装置であり、被検体の内部に存在する病変等のオブジェクトが写った断層画像を取得する。また、画像管理サーバ１０２は、モダリティ１０１が生成した断層画像を院内ＬＡＮ１００経由で受信し保管する装置である。
【００２１】
図２は、実施例１に係るモダリティ１０１の構成を示すブロック図である。図２に示すように、モダリティ１０１は、被検体２０１の断層画像を撮影する断層画像撮像部２００、断層画像生成部２０２、画像データ送信部２０４、を備え、院内ＬＡＮ１００に接続されている。
【００２２】
モダリティ１０１は、断層画像撮像部２００において被検体２０１の断層画像を撮影する。断層画像生成部２０２は、断層画像撮像部２００で撮影された断層画像から医用画像フォーマットの医用画像群データである断層画像データ２０３を生成する。
【００２３】
画像データ送信部２０４は、モダリティ１０１の操作者の要求により、断層画像生成部２０２で生成した断層画像データ２０３を、院内ＬＡＮ１００経由で画像管理サーバ１０２に送信する。あるいは、画像データ送信部２０４は、ユーザからの要求により、断層画像データ２０３を、院内ＬＡＮ１００経由で医用画像表示装置１０３に送信する。
【００２４】
図３は、実施例１に係る医用画像表示装置１０３の構成を示すブロック図である。医用画像表示装置１０３は、ＵＩ部３０１、画像データ受信部３０２、画像データ記憶部３０３、表示設定情報記憶部３０４、速度判定情報記憶部３０５、病変表示サイズ算出部３０６、画像送り速度決定部３０７、表示制御部３０８、表示部３０９を備える。
【００２５】
ＵＩ部３０１は、医用画像表示装置１０３と接続されている入力デバイス（例えば、マウスやキーボード）を介し、ユーザからの入力操作を受け付ける。また、ＵＩ部３０１は、入力操作を各処理部へ通知する。例えば、図４の４０１に示すような、画像表示ボタンが押下された場合は、ＵＩ部３０１は、後述する画像データ受信部３０２に画像データの取得を通知する。また、図の４０２に示すような、ページング読影ボタンが押下された場合は、ＵＩ部３０１は、後述する表示制御部３０８へページング読影開始を通知する。また、ＵＩ部３０１は、ページング読影時の設定として、画像の表示倍率（例えばDotByDot、2倍、画面フル表示）等の設定操作を行う。
【００２６】
画像データ受信部３０２は、院内ＬＡＮ１００を介して、モダリティ１０１あるいは画像管理サーバ１０２から断層画像データ２０３を受信して、画像データ記憶部３０３に送る。なお、受信する断層画像データ２０３には、予めモダリティ１０１が、断層画像データ２０３を生成する際に、画像内の病変の有無や病変のサイズを解析した情報が付帯している。図５（Ａ）は、画像付帯情報の一例であり、付帯情報には病変の種類情報５０１、病変の位置座標情報５０２、画像内の病変の大きさ情報５０３が記述されている。例えば、図５（Ａ）の画像ＩＤ８の病変の位置（２００，３０）は、図５（Ｂ）に示すように、画像の左上頂点を原点として、右に２００pixel、下に３０pixelの箇所に病変が存在することを示している。
【００２７】
画像データ記憶部３０３は、画像データ受信部３０２から受け取った断層画像データ２０３を保存する。なお、保存する媒体は、ハードディスク等の不揮発性メモリでも良いし、ＲＡＭ等の揮発性メモリでも良い。
【００２８】
表示設定情報記憶部３０４は、ページング読影に関する設定情報として、図６に示すような、画像の表示倍率や表示部３０９の解像度（画素数）や1画素当たりの画素ピッチ情
報を保持している。なお、保存する媒体は、ハードディスク等の不揮発性メモリでも良いし、ＲＡＭ等の揮発性メモリでも良い。
【００２９】
速度判定情報記憶部３０５は、複数の断層画像を１枚ずつ連続的に表示する際の画像送り速度（フレームレート）の判定を行うための情報テーブルとして、図７に示すような情報を保持している。なお、保存する媒体は、ハードディスク等の不揮発性メモリでも良いし、ＲＡＭ等の揮発性メモリでも良い。また、画像送り速度の判定テーブルは病変の表示サイズと見落とし率の関係（例えば、非特許文献１参照）から作成されるものであり、その作成方法の一例は次のとおりである。まず、読影対象の画像（参考画像で良い）に対して、病変の見落とし率が一定値以下になる為に必要な読影時間を計測する。次に、前記画像の病変の表示サイズから読影時間を除算して、単位時間当たりの読影面積を算出する。ユーザの視線移動量が単位時間当たりにおいて限定されることから、単位時間当たりの読影面積は、単位時間当たりのユーザの読影可能範囲を意味する。よって、病変の表示サイズに対応する読影時間は、単位時間当たりのユーザの読影可能範囲から算出できる。そして、病変の表示サイズに対応する読影時間が、１画像を表示しておく時間となり、画像送り速度が決まることとなる。
【００３０】
病変表示サイズ算出部３０６は、断層画像データ２０３の付帯情報から、各断層画像データ内に病変が存在するかを判断する。病変が存在する場合、病変表示サイズ算出部３０
６は、断層画像データ２０３の付帯情報と、表示設定情報記憶部３０４に記憶しているページング読影に関する設定情報（表示倍率、表示部３０９の１画素当たりの画素ピッチ）から病変の表示サイズを算出する。また、病変表示サイズ算出部３０６は、算出した病変の表示サイズを画像送り速度決定部３０７に通知する。
なお、病変表示サイズ算出部３０６の処理の詳細については後述する。
【００３１】
画像送り速度決定部３０７は、病変表示サイズ算出部３０６が算出した、病変の表示サイズと、速度判定情報記憶部３０５に予め記憶している画像送り速度の判定テーブルから、ページング読影時の画像送り速度を決定し、表示制御部３０８へ通知する。
なお、画像送り速度決定部３０７の処理の詳細については後述する。
【００３２】
表示制御部３０８は、画像データ記憶部３０３に保存している断層画像データ２０３を取得し、表示部３０９へ出力する。また、ページング読影時は、画像送り速度決定部３０７が決定した画像送り速度に従って、表示部３０９に表示する断層画像データを順次切り換える。
なお、表示制御部３０８の処理の詳細については後述する。
【００３３】
表示部３０９は、表示制御部３０８から出力された断層画像データ２０３を実際に表示する。
【００３４】
（病変表示サイズ算出部３０６の処理フローの説明）
図８は、病変表示サイズ算出部３０６の処理フローである。
ステップＳ８０１において、病変表示サイズ算出部３０６は、表示中の断層画像データに病変が存在するか否か判断する為に、付帯情報の病変の種類情報５０１を取得する。
【００３５】
ステップＳ８０２において、取得した病変の種類情報５０１が、無し以外の場合（例えば、石灰化など）は、病変表示サイズ算出部３０６は、病変が存在すると判断しステップＳ８０３へ進む。病変の種類情報５０１が、無しの場合は、病変表示サイズ算出部３０６は、病変が存在しないと判断しステップＳ８０５へ進む。
【００３６】
ステップＳ８０３において、病変表示サイズ算出部３０６は、付帯情報内の病変の大きさ情報５０３を取得し、病変の大きさＫに値を保持する。
Ｋ（pixel）＝病変の大きさ情報５０３
【００３７】
ステップＳ８０４において、病変表示サイズ算出部３０６は、モニタ上に実際に表示される病変の表示サイズを算出するため、表示設定情報記憶部３０４に保持しているページング読影に関する設定情報から、画像の表示倍率と表示部３０９の画素ピッチを取得する。そして病変表示サイズ算出部３０６は、病変の表示サイズＨ（mm）を次の式により算出する。
Ｈ（mm）＝Ｋ（pixel）×画像の表示倍率×画素ピッチ（mm/pixel）
【００３８】
ステップＳ８０５において、病変表示サイズ算出部３０６は、病変の表示サイズＨ（mm）に０を代入する。
ステップＳ８０６において、病変表示サイズ算出部３０６は、前記Ｓ８０４、又はＳ８０５で算出した病変の表示サイズＨ（mm）を画像送り速度決定部３０７へ出力し、処理を終了する。
【００３９】
なお、同一画像内に病変が複数存在する場合は、病変表示サイズ算出部３０６は、画像付帯情報の病変の大きさ情報５０３をもとに、表示サイズが最も小さい病変の表示サイズを表示サイズＨ（mm）に代入する。
【００４０】
（画像送り速度決定部３０７の処理フローの説明）
図９は、画像送り速度決定部３０７の処理フローである。
ステップＳ９０１において、画像送り速度決定部３０７は、病変表示サイズ算出部３０６が算出した病変の表示サイズＨ（mm）を受信し、ステップＳ９０２へ進む。
【００４１】
ステップＳ９０２において、病変の表示サイズＨ（mm）が０の場合は、画像送り速度決定部３０７は、ステップＳ９０６に進み、速度判定情報記憶部３０５に保持している画像送り速度判定テーブル（図７）から画像送り速度を決定し、画像送り速度Ｐに代入する。本実施例では画像送り速度決定部３０７は、画像送り速度Ｐに１０（fps）を代入する。
病変の表示サイズＨ（mm）が０以外の場合は、画像送り速度決定部３０７は、ステップＳ９０３に進む。
【００４２】
ステップＳ９０３で病変の表示サイズＨ（mm）が０＜Ｈ＜３mmの場合、画像送り速度決定部３０７はステップＳ９０７に進み、速度判定情報記憶部３０５に保持している画像送り速度判定テーブル（図７）から画像送り速度を決定し、画像送り速度Ｐに代入する。本実施例では画像送り速度決定部３０７は、画像送り速度Ｐに１（fps）を代入する。病変
の表示サイズＨ（mm）が０＜Ｈ＜３mm以外の場合は、画像送り速度決定部３０７は、ステップＳ９０４に進む。
【００４３】
ステップＳ９０４で病変の表示サイズＨ（mm）が３≦Ｈ＜５mmの場合、画像送り速度決定部３０７はステップＳ９０８に進み、速度判定情報記憶部３０５に保持している画像送り速度判定テーブル（図７）から画像送り速度を決定し、画像送り速度Ｐに代入する。本実施例では画像送り速度決定部３０７は、画像送り速度Ｐに２（fps）を代入する。病変
の表示サイズＨ（mm）が３≦Ｈ＜５mm以外の場合は、画像送り速度決定部３０７は、ステップＳ９０５に進む。
【００４４】
ステップＳ９０５で病変の表示サイズＨ（mm）が５≦Ｈ＜７mmの場合、画像送り速度決定部３０７はステップＳ９０９に進み、速度判定情報記憶部３０５に保持している画像送り速度判定テーブル（図７）から画像送り速度を決定し、画像送り速度Ｐに代入する。本実施例では画像送り速度決定部３０７は、画像送り速度Ｐに４（fps）を代入する。病変
の表示サイズＨ（mm）が５≦Ｈ＜７mm以外の場合は、画像送り速度決定部３０７は、ステップＳ９１０に進み、速度判定情報記憶部３０５に保持している画像送り速度判定テーブル（図７）から画像送り速度を決定し、画像送り速度Ｐに代入する。
【００４５】
ステップＳ９１１において、画像送り速度決定部３０７は、決定した画像送り速度Ｐ（fps）を表示制御部３０８へ出力し、処理を終了する。
【００４６】
（表示制御部３０８の処理フローの説明）
図１０は、表示制御部３０８の処理フローである。
ステップＳ１００１において、表示制御部３０８は、ページング読影開始時に画像データ記憶部３０３から全断層画像データｍ枚を取得し、先頭の１枚を表示部３０９へ出力し、表示させる。
【００４７】
ステップＳ１００２において、表示制御部３０８は、表示した断層画像データの画像送り速度を決定するために、病変表示サイズ算出部３０６へ表示中の画像を通知し、画像送
り速度決定部３０７が決定した画像送り速度Ｐを受信する。
【００４８】
ステップＳ１００３において、表示制御部３０８は、Ｓ１００２で決定した画像送り速度Ｐから、表示中の断層画像データの表示時間Ｔを次の式により算出する。
１画像当たりの表示時間Ｔ（s）＝１／Ｐ（fps）
【００４９】
例えば、図５に示す画像送り速度の判定テーブルによれば、病変が存在しない場合の画像送り速度Ｐは、１０ｆｐｓであり、表示時間は０．１秒となる。また、画像送り速度Ｐが２ｆｐｓの場合は、表示時間は０．５秒となる。
【００５０】
ステップＳ１００４において、表示制御部３０８は、Ｓ１００３で算出した表示時間は表示中の断層画像データを表示し続け、その後、ステップＳ１００５へ進む。
【００５１】
ステップＳ１００５において、表示制御部３０８は、断層画像データｍ枚を全て表示したか判断し、全て表示していない場合はステップＳ１００６に進む。全ての断層画像データを表示した場合は、表示制御部３０８は、ページング読影処理を終了する。
【００５２】
ステップＳ１００６において、表示制御部３０８は、次の断層画像データを表示部３０９へ出力して表示させ、再度ステップＳ１００２〜Ｓ１００５までの処理を繰り返す。
【００５３】
図１３は本実施例１により断層画像データ２０３をページング読影した場合の画像送り速度の遷移の一例を示した図である。つまり、ページング読影時に、断層画像内に病変が現れ始めの、表示サイズが小さい段階では、見落とし率を軽減するように画像送り速度が遅くなり、徐々に病変の表示サイズが大きくなると読影時間を短縮するように画像送り速度が速くなる。
【００５４】
以上のように、本発明によれば、ページング読影の画像送り速度が、病変の表示サイズに応じて適切な速度に変更される為、病変の見落とし率を軽減でき、かつ、読影にかかる時間が不要に長くなることを抑制できる。
【００５５】
なお、本実施例では、断層画像データを１枚表示する毎に、画像の付帯情報を解析し、画像送り速度を決定する例を説明した。しかし、予めページング読影前に全断層画像データの画像付帯情報を解析し、全断層画像データの表示時間を算出してから表示を開始するようにしても良い。
【００５６】
また、本実施例では、画像送り速度は病変の表示サイズに応じ予め定められた速度とする例を説明したが、図１１に示すように、ユーザが画像送り速度を設定できるようにしてもよい。この場合、図１１に示すように、ユーザが基準となる画像送り速度を設定することにより、病変の表示サイズ毎の画像送り速度が自動で算出されるようにしても良い。図１１に示すように、病変が存在しない断層画像の送り速度が最も遅く、病変が存在する断層画像については表示サイズが大きくなるほど画像送り速度が速くなるように算出する。これは、表示サイズが大きい画像は画像送り速度が速くても見落としの確率が低い傾向があることに基づく。画像送り速度と見落とし確率との関係は、読影するユーザの経験や能力に依存する。図１１に示すようにユーザが画像送り速度を設定できるようにすることにより、ユーザの読影能力を加味して病変の表示サイズに応じた画像送り速度の変更が可能になるので、利便性が更に向上する。また、その場合でも、病変の見落とし率がある一定値以上にならないよう、ユーザが設定できる画像送り速度に制限を設けるようにしても良い。
【００５７】
また、本実施例では、表示サイズに応じた画像送り速度の対応関係が病変の種類に依存しない例を説明したが、図１２に示すように、病変の種類に応じてこの対応関係を異ならせるようにしても良い。
これにより、病変の表示サイズが同じ場合でも、病変の種類により画像送り速度を変えることができ、更にユーザの読影効率を向上することができる。
【００５８】
また、本実施例では、画像データ記憶部３０３と表示設定情報記憶部３０４と速度判定情報記憶部３０５を分けて説明したが、これらに記憶される情報が同じ記憶部に記憶される構成であっても良い。
なお、本実施例では、断層画像データをページング読影する例を説明したが、断層画像データ以外の単純Ｘ線等の画像のページング読影にも本発明は適用可能である。
【００５９】
（実施例２）
本発明の第２の実施例では、医用画像表示装置と表示モニタが分離している場合について説明する。なお、第１の実施例と同じ所は詳細な説明を省略し、差異を中心に説明する。
【００６０】
図１４は、実施例２に係る医用画像表示装置１４０１が、表示モニタ１４０２とデータ伝送路１４００を介して接続されている形態を示す模式図である。ここで、データ伝送路１４００は、映像信号とモニタ情報を送受信できるシステムを利用するものであり、有線方式であっても良いし無線方式であっても良い。例えば、有線方式にはDVI（Display Visual Interface）、HDMI（High-Definition Multimedia Interface）、Display Port等が
ある。また無線方式には、Wireless HD、WHDI（Wireless Home Digital Interface）等がある。
【００６１】
図１５は、実施例２に係る医用画像表示装置１４０１の構成を示すブロック図である。実施例１との差異は、データ送受信部１４０９を追加した点と、表示制御部１４０８の処理が異なる点と、表示部３０９が存在しない点である。
【００６２】
データ送受信部１４０９は、表示する断層画像データ２０３を表示制御部１４０８の要求により、データ伝送路１４００を介して表示モニタ１４０２へ送信する。また、データ送受信部１４０９は、データ伝送路１４００を介して表示モニタ１４０２からモニタ情報を取得する。ここで、モニタ情報とは、ＥＤＩＤ（Extended display identification data）などのモニタのスペックが数値化されたデータである。
【００６３】
表示制御部１４０８は、データ送受信部１４０９が表示モニタ１４０２から取得したモニタ情報を解析し、表示モニタ１４０２の解像度（画素数）と画素ピッチの情報を抽出し、表示設定情報記憶部３０４にページング読影に関する設定情報として保存する。ＥＤＩＤのFirst Detailed Timing Descriptionから画面の縦と横の画素ピッチに関する数値デ
ータを取得することができる。またＥＤＩＤのBasic Display Parametersの画面の縦と横の長さの実寸値に関する数値データをもとに次の式により解像度を算出可能である。
解像度＝実寸値／画素ピッチ
【００６４】
また、表示制御部１４０８は、画像データ記憶部３０３に保存された断層画像データ２０３を表示する場合には、データ送受信部１４０９へ通知する。
【００６５】
動作フローについては、実施例１と同様に、病変表示サイズ算出部３０６が表示設定情
報記憶部３０４に保存されているページング読影に関する設定情報から断層画像ごとに病変の表示サイズを算出する。そして、画像送り速度決定部３０７が速度判定情報記憶部３０５に保存されている病変の表示サイズと画像送り速度の判定テーブルに従って、病変の表示サイズに応じて画像送り速度を決定する。
【００６６】
なお、図１６は医用画像表示装置１４０１に接続する表示モニタ毎の断層画像データの表示例を示したものである。本実施例２によれば、図１６（Ａ）と図１６（Ｂ）に示すように、モニタの画面寸法が同じでも画素ピッチが異なるモニタを接続した場合は、表示モニタ上に表示される病変の表示サイズが異なる為、異なる画像送り速度でページング読影のための表示が行われる。また、図１６（Ｃ）と図１６（Ｄ）に示すように、表示モニタの寸法が異なる場合でも画素ピッチが同じ場合は、病変の表示サイズが同じになる為、同じ画像送り速度でページング読影のための表示が行われる。
【００６７】
以上のように、接続モニタのモニタ情報を、データ伝送路１４００を介してＥＤＩＤから取得することで、接続モニタに応じた病変の表示サイズを算出できる。これにより、見落とし率を軽減しかつページング読影にかかる時間が不要に長くなることを抑制できる画像送り速度に制御することができる。
【００６８】
（実施例３）
本発明の第３の実施例では、断層画像ごとの病変の有無と大きさの情報を、実施例１のような画像付帯情報からでなく、断層画像データ２０３を解析して抽出する。そして、それに基づいて実際にモニタ上に表示される病変の表示サイズを算出し、画像送り速度を制御する例について説明する。
【００６９】
まず、図１および図２のブロック図を用いて、医用断層画像データの生成、および伝送について説明する。本実施例では、モダリティ１０１はＸ線ＣＴであるとする。
【００７０】
モダリティ１０１は、Ｘ線ＣＴ画像撮像部２００において被検体２０１にＸ線を曝射し、Ｘ線の吸収値つまりＣＴ値（HU）を取得する。Ｘ線ＣＴ画像生成部２０２は、Ｘ線ＣＴ画像撮像部２００で撮影されたＣＴ値（HU）をグレースケールに変換してＣＴ画像化する。図１７は、ＣＴ値（HU）（特性値）をグレースケール（断層画像の画素値）に変換する一例である。さらに、Ｘ線ＣＴ画像生成部２０２は、ＣＴ画像から医用画像フォーマットのデータを生成する。医用画像フォーマットのデータ例については、後でより詳しく説明する。
【００７１】
画像データ送信部２０４は、モダリティ１０１の操作者の要求により、Ｘ線ＣＴ画像生成部２０２で生成したＸ線ＣＴ画像データを、院内ＬＡＮ１００経由で画像管理サーバ１０２に送信して保管する。画像データ送信部２０４は、あるいは、ユーザからの要求により、院内ＬＡＮ１００経由で医用画像表示装置１０３に送信する。
【００７２】
ここで、本実施例における医用画像フォーマットのデータ例について説明する。
図１８は、医用画像フォーマットとしてＤＩＣＯＭ（Digital Imaging and Communication in Medicine）規格を適用した場合のデータ構成である。データファイル全般に関す
る情報を含むMeta File Information、患者に関する情報や画像データに関する情報を含
むData Element、そして実際の画像データから構成されている。
【００７３】
ＤＩＣＯＭデータの仕様では、画素データとＣＴ値（HU）の変換情報を格納することができ、図１８に示すData Element内のリスケール片辺bとリスケール傾斜mの情報を用いて、計算式 HU = m * SV +b によりデータ変換できる。ここで、SVは各画素データであり、HUはＣＴ値（HU）を意味する。（非特許文献２参照）。
【００７４】
続いて、図３のブロック図を用いて、医用画像表示装置１０３の動作について説明する。
病変表示サイズ算出部３０６は、先に説明したＤＩＣＯＭデータに格納されている情報から、断層画像データ２０３の各画素に対応するＣＴ値を算出し、ＣＴ値が一定の範囲内にある画素を抽出する。例えば、病変表示サイズ算出部３０６は、図１９に示すＣＴ値と病変の関係から、ＣＴ値が所定の範囲（例えば６０〜８０（HU））に該当する画素を抽出する。ＣＴ値が６０〜８０（ＨＵ）に該当する画素が存在する場合は、病変表示サイズ算出部３０６は、当該画素が何ピクセル連続しているかを画像解析し、病変（腫瘍）の大きさ（ピクセル数）を解析する。
【００７５】
そして、病変表示サイズ算出部３０６は、解析した病変の大きさと、表示設定情報記憶部３０４に記憶しているページング読影に関する設定情報から、病変の表示サイズを算出する。
【００７６】
断層画像データの各画素のＣＴ値から、病変の有無や大きさを算出することにより、ＣＡＤ等の解析結果が付帯情報として断層画像データに付与されていない場合でも、病変の表示サイズを算出し、画像送り速度を病変サイズに応じた速度に制御することができる。
【符号の説明】
【００７７】
１０３    医用画像表示装置
３０２    画像データ受信部
３０４    表示設定情報記憶部
３０５    速度判定情報記憶部
３０６    病変表示サイズ算出部
３０７    画像送り速度決定部
３０８    表示制御部
【図１】
2014033947.tif 000003
【図２】
2014033947.tif 000004
【図３】
2014033947.tif 000005
【図４】
2014033947.tif 000006
【図５】
2014033947.tif 000007
【図６】
2014033947.tif 000008
【図７】
2014033947.tif 000009
【図８】
2014033947.tif 000010
【図９】
2014033947.tif 000011
【図１０】
2014033947.tif 000012
【図１１】
2014033947.tif 000013
【図１２】
2014033947.tif 000014
【図１３】
2014033947.tif 000015
【図１４】
2014033947.tif 000016
【図１５】
2014033947.tif 000017
【図１６】
2014033947.tif 000018
【図１７】
2014033947.tif 000019
【図１８】
2014033947.tif 000020
【図１９】
2014033947.tif 000021
【図２０】
2014033947.tif 000022